(57)【要約】      （修正有）【課題】飲用前は水素発生物質を水とは一体でかつ別々に貯蔵しておき、飲用時に水素発生物質を水中に投入して水素水を生成する携帯式水素水生成装置を提供する。【解決手段】水を貯蔵した容器と、該容器の飲用開口部２に取付けたキャップ３−１、３−２と、上部キャップ３−１内に水素発生物質５を保持する水素発生物質保持手段４とからなり、飲用時に水素発生物質保持手段４の水素発生物質貯蔵状態を解除して上部キャップ３−１内に貯蔵されている水素発生物質５を水中に投入することが可能となっている。【選択図】図２
0003197573.tif 000002
【実用新案登録請求の範囲】
【請求項１】
水を貯蔵した容器と、該容器の飲用開口部に取付けたキャップと、キャップ内に水素発生物質を保持する水素発生物質保持手段とからなり、飲用時に水素発生物質保持手段の水素発生物質貯蔵状態を解除してキャップ内に貯蔵されている水素発生物質を水中に投入することが可能となっている、携帯式水素水生成装置。
【考案の詳細な説明】
【技術分野】
【０００１】
本考案は、携帯式水素水生成装置に関する。
【背景技術】
【０００２】
水素水は、抗酸化作用が大きく、健康上、美容上、ダイエット上に良いという理由から広く飲まれている。飲用水素水は、種々のボトル入り水素水及びチューブ入り水素水として売られている。また、水素生成粉末をカプセルに入れ、水でカプセルを体内に飲み込んで体内中で水素を発生させるものも知られている。
【０００３】
しかしながら、予め水素水を生成してボトルあるいはチューブに保存する場合には、時間とともに水素が抜けていくので長時間安定的に溶存水素を維持できない。一方水素発生カプセルの場合には水で胃の中に流し込むので、飲む場合その都度水を用意する必要がある。
【考案の概要】
【考案が解決しようとする課題】
【０００４】
本考案は、飲用前は水素発生物質を水とは一体でかつ別々に貯蔵しておき、飲用時に水素発生物質を水中に投入して水素水を生成する携帯式水素水生成装置に関する。
【課題を解決するための手段】
【０００５】
本考案は、水を貯蔵した容器と、該容器の飲用開口部に取付けたキャップと、キャップ内に水素発生物質を保持する水素発生物質保持手段とからなり、飲用時に水素発生物質保持手段の水素発生物質貯蔵状態を解除してキャップ内に貯蔵されている水素発生物質を水中に投入することが可能となっている、携帯式水素水発生装置に関する。
【０００６】
本考案は、水を貯蔵した容器と、該容器の飲用開口部に取付けたキャップと、キャップ内に水素発生物質を保持する水素発生物質保持手段とからなり、飲用時に水素発生物質保持手段の水素発生物質貯蔵状態を解除してキャップ内に貯蔵されている水素発生物質を水中に投入することが可能となっている、携帯式水素水発生装置に関する。
【考案の効果】
【０００７】
容器に貯蔵された水と水素発生物質とは、飲用前は分離独立して貯蔵されるので、予め生成貯蔵された水素水と異なり、飲用前貯蔵中に水素水から水素が逃げるという問題はなく、水及び水素発生物質を長期間安定して貯蔵することができる。
また、飲用時に水素発生物質保持手段の水素発生物質貯蔵状態を解除して、キャップ内に貯蔵されている水素発生物質を水中に投入するので、飲用時に初めて水素水が生成され所望の濃度の水素水を体内に有効に吸収させることができる。水及び水素発生物質が分離して一体となっているので、水素水を飲みたいという際に、携帯式水素水発生装置のみにより水素水を発生させて飲むことができる。
【図面の簡単な説明】
【０００８】
【図１】本考案に係る携帯式水素水発生装置の第一の態様を示す。
【図２】図１に示す本考案に係る携帯式水素水発生装置のキャップ部及びその近傍を示す断面図である。
【図３】図１に示す本考案に係る携帯式水素水発生装置の製造工程を示す。
【図４】本考案に係る携帯式水素水発生装置の第二の態様を示す。
【考案を実施するための形態】
【０００９】
本考案で用いる水素発生物質は、水素水を生成するために通常用いられている水素発生物質であればいずれのものでも用いることができる。例えば、石垣島産のサンゴカルシウム等を例示することができる。水素発生物質の粒径は、水に混合して直ちに有効量の水素を発生可能とする粒径とし、水素発生物質の量は水の量との関係で適宜設定される。
【００１０】
本考案で用いる容器は、キャップ付ペットボトル、キャップ付アルミニウムボトルあるいはキャップ付チューブ、キャップ付バック等を用いることができる。
【００１１】
キャップ内に水素発生物質を保持する水素発生物質保持手段としては、キャップの下端部あるいはキャップ内部に設けた筒状体の下端部に封止当接させた蓋体の形とすることができ、該蓋体を開くあるいは落下させて水素発生物質保持手段の水素発生物質貯蔵状態を解除し水素発生物質を水中に投入することができる。あるいは、キャップ内に水素発生物質を保持する水素発生物質保持手段として、キャップの下端部に封止フィルムを設けることもでき、この場合にはキャップを開く際に該封止フィルムを破くことによってキャップ内の水素発生物質を水中に投下する。
【００１２】
図１乃至図３に、本考案に係る携帯式水素水発生装置の第１の態様を示す。１はペットボトル容器であり、３は容器開口部２に取付けたキャップであり、キャップ３は上部キャップ部３−１と下部キャップ部３−２とからなっている。図２に示すように、下部キャップ部３−２は容器開口部２の内周面及び外周面に沿う内周部３−２ａ、外周部３−２ｂ及び立上り部３−２ｃとからなり、外周部３−２ｂの内周面は開口部２の外周面に螺合している。
【００１３】
上部キャップ部３−１は、頂部３−１ａ、頂部３−１ａの外縁部から下方に延びる外周部３−１ｂと頂部３−１ａの底面中央から下方に延びる筒状体３−１ｃとからなっており、上部キャップ３−１の外周部３−１ｂの内周面は下部キャップ３−２の立上り部３−２ｃの外周部に螺合している。上部キャップ部３−１の筒状体３−１ｃの下端面は下部キャップ部３−２の内周部３−２ａの下端面と同一面上に位置している。
【００１４】
図中、４は上部キャップ部３−１の筒状体３−１ｃの下端面及び下部キャップ部３−２の内周部３−２ａの下端面に当接させた水素発生物質保持手段であり、水素発生物質保持手段４によって上部キャップ部３−１の筒状体３−１ｃの内部に充填された水素発生物質５を保持している。水素発生物質保持手段４は下部円筒体４−１とその上に一体となったより薄くかつ小径の上部円筒体４−２とからなっており、円筒体４−２の外周は筒状体３−１ｃの下端部内周面に螺合している。
【００１５】
飲用時には、上部キャップ部３−１の筒状体３−１ｃを下部キャップ部３−２に対して多少時計回りに回転させると、水素発生物質保持手段４が筒状体３−１ｃの下端部から外れ筒状体３−１ｃ内部の水素発生物質が液中に投下される。次に、上部キャップ部３−１の筒状体３−１ｃを下部キャップ部３−２に対して反時計回りに締め付けた後、ボトルを上下によく振ることによって内部に水素水が生成し、上部キャップ部３−１を取り外すことによって水素水を飲むことができるようになっている。
【００１６】
図３は、本考案に係る図１及び図２に示す携帯式水素水発生装置の製造法工程を示す。図３（ａ）は下部キャップ部３−２を示し、図３（ｂ）において下部キャップ３−２に対して上部キャップ部３−１を螺合させ、図３（ｃ）において上部キャップ部３−１の筒状体３−１ｃの内部に水素発生物質５を充填した後、円筒体４（水素発生物質保持手段）の小径の上部円筒体４−２の外周面を筒状体３−１ｃの下端部内周面に螺合させ、円筒体４（水素発生物質保持手段）の大径の下部円筒体４−１の外周部を上部キャップ部３−１の筒状体３−１ｃの端面及び下部キャップ部３−２の内周部３−２ａの端面に当接させる。図３（ｄ）において、ボトルの飲用開口部の外周部を下部キャップ部３−２の外周部３−２ｂの内周部に螺合させて、本考案に係る携帯式水素水発生装置を製造することができる。
【００１７】
図４は、本考案に係る携帯式水素水発生装置に使用される別のキャップ構造を示す。キャップ１０は、上部キャップ部１０−１、下部キャップ部１０−２、内部キャップ部１０−３を有し、下部キャップ部１０−２の下方部の内周面は容器の飲用開口部の外周部に螺合されている。下部キャップ部の上端部には互いに直行するフランジ部ａ，ｂ，ｃが設けられ、上部キャップ部１０−１の下端部はフランジａ，ｂに当接し、内部キャップ部１０−３の下端部のフランジ部の外周は下部キャップ部１０−２のフランジｂの外周に摺接するとともに、下面はバネ１１を介してフランジｃ上に配置されている。また上部キャップ部１０−１の頂部の下面には円筒体１２が設けられ、円筒体の下端部は刃部１２ａとされている。円筒体１２の刃部１２ａの下方近傍には水素発生物質保持手段としてのフィルム１３が保持具１４によって保持されて、下部キャップ部１０−２の内側にはフィルム１３により水素発生物質が充填保持されている。
【００１８】
飲用時には、上部キャップ部１０−１を下部キャップ部１０−２から取り外し、内部キャップ部１０−３をバネ１１に抗して押し込み、円筒体１２の刃部１２ａにより下方近傍のフィルム１３を破り、下部キャップ部１０−２の内側に充填保持されている水素発生物質をボトル内の水に投入し、混合することによって、水素水を生成し、内部キャップ部を取り外すことによって水素水を飲めるようになっている。
【産業上の利用可能性】
【００１９】
本考案は、飲用時に水素発生物質と水とを混合することによって水素水を発生させ、所望時にフレッシュな状態の水素水を飲めるので産業上利用可能性は大である。
【符号の説明】
【００２０】
１・・・ペットボトル容器、２・・・容器開口部、３・・・キャップ、３−１・・・上部キャップ部、３−１ａ・・・頂部、３−１ｂ・・・外周部、３−１ｃ・・・筒状体、３−２・・・下部キャップ部、３−２ａ・・・内周部、３−２ｂ・・・外周部、３−２ｃ・・・立上り部、４・・・水素発生物質保持手段、４−１・・・下部円筒体、４−２・・・上部円筒体、５・・・水素発生物質、１０・・・キャップ、１０−１・・・上部キャップ部、１０−２・・・下部キャップ部、１０−３・・・内部キャップ部、１１・・・バネ、ａ，ｂ，ｃ・・・互いに直行するフランジ部、１２・・・円筒体、１２ａ・・・刃部、１３・・・フィルム、１４・・・保持具
【図１】
0003197573.tif 000003
【図２】
0003197573.tif 000004
【図３】
0003197573.tif 000005
【図４】
0003197573.tif 000006
【手続補正書】
【提出日】平成27年3月18日(2015.3.18)
【手続補正１】
【補正対象書類名】実用新案登録請求の範囲
【補正対象項目名】全文
【補正方法】変更
【補正の内容】
【実用新案登録請求の範囲】
【請求項１】
水を貯蔵した容器と、該容器の飲用開口部に取付けたキャップと、キャップ内に水素発生物質を保持する水素発生物質保持手段とからなり、該水素発生物質保持手段は飲水時に該水素発生物質保持手段の水素発生物質貯蔵状態が解除されるようになっていて、該水素発生物質貯蔵状態が解除されることによって該キャップ内に貯蔵されている該水素発生物質を水中に投入することが可能となっている、携帯式水素水生成装置。
【請求項２】
前記水素発生物質保持手段は、前記キャップの下端部あるいは前記キャップ内部に設けた筒状体の下端部に封止当接させた蓋体とされ、飲用時に該蓋体を開くあるいは落下させて該水素発生物質保持手段の水素発生物質貯蔵状態を解除し該水素発生物質を水中に投入することが可能となっている、請求項１に係る携帯式水素水生成装置。
【請求項３】
前記水素発生物質保持手段は、該キャップの下端部に設けた封止フィルムとされ、飲用時に該キャップを開く際に該封止フィルムを破くことによってキャップ内の該水素発生物質を水中に投下することが可能となっている、請求項１に係る携帯式水素水生成装置。
【手続補正２】
【補正対象書類名】明細書
【補正対象項目名】０００６
【補正方法】変更
【補正の内容】
【０００６】
より詳しくは、本考案は以下の構成を有する。
（１）水を貯蔵した容器と、該容器の飲用開口部に取付けたキャップと、キャップ内に水素発生物質を保持する水素発生物質保持手段とからなり、該水素発生物質保持手段は飲水時に該水素発生物質保持手段の水素発生物質貯蔵状態が解除されるようになっていて、該水素発生物質貯蔵状態が解除されることによって該キャップ内に貯蔵されている該水素発生物質を水中に投入することが可能となっている、携帯式水素水生成装置。
（２）前記水素発生物質保持手段は、前記キャップの下端部あるいは前記キャップ内部に設けた筒状体の下端部に封止当接させた蓋体とされ、飲用時に該蓋体を開くあるいは落下させて該水素発生物質保持手段の水素発生物質貯蔵状態を解除し該水素発生物質を水中に投入することが可能となっている、（１）に係る携帯式水素水生成装置。
（３）前記水素発生物質保持手段は、該キャップの下端部に設けた封止フィルムとされ、飲用時に該キャップを開く際に該封止フィルムを破くことによってキャップ内の該水素発生物質を水中に投下することが可能となっている、（１）に係る携帯式水素水生成装置。